(57)【要約】【課題】水生生息物の生息環境の改善を図ることができる水生生息物用構造物を提供することである。【解決手段】水生生息物用構造物１は、海中３に立設された杭柱４の潮間帯における箇所に水生生息物用棚５を設け、該水生生息物用棚５の下側に障害物のない空隙部６を形成し、この空隙部６へ通じる複数の連通孔１４が水生生息物用棚５に設けられたことである。【選択図】  図１
2004308157.tif 000002
【特許請求の範囲】
【請求項１】
海中に立設された杭柱の潮間帯から漸深帯にかけた箇所に水生生息物用棚を設け、該水生生息物用棚の下側に障害物のない空隙部を形成したことを特徴とする水生生息物用構造物。
【請求項２】
海中に立設された杭柱の潮間帯から漸深帯にかけた箇所に水生生息物用棚を設け、該水生生息物用棚の下側に障害物のない空隙部を形成し、この空隙部へ通じる複数の連通孔が水生生息物用棚に設けられたことを特徴とする水生生息物用構造物。
【請求項３】
水生生息物用棚には捨て石および多孔質ブロックが設置され、干潮時において水面上に位置する箇所にタイドプールが形成されたことを特徴とする請求項１または２に記載の水生生息物用構造物。
【請求項４】
杭柱は岸壁の先端側に立設されたことを特徴とする請求項１〜３のいずれかに記載の水生生息物用構造物。
【請求項５】
杭柱の頂部には桟橋用床板が設置されたことを特徴とする請求項１〜４のいずれかに記載の水生生息物用構造物。
【発明の詳細な説明】
【０００１】
【発明の属する技術分野】
本発明は水生生息物用構造物に関するものである。
【０００２】
【従来の技術】
近年、海岸域に構築される岸壁は、水生生物や水生植物などの水生生息物（以下、水生生息物という）の生息環境を悪化させない構成が取られている。このような岸壁として、例えば特開２０００−１７０１３４号公報の発明がある。この岸壁は、床版下側の空間を柱脚間に設置した仕切パネルで締め切り、この締め切った空間内に割繰石などを詰め込んで水生生息物の棲み場や隠れ場を形成したものである。
【０００３】
【特許文献１】
特開２０００−１７０１３４（図１）
【０００４】
【発明が解決しようとする課題】
しかし、上記のような岸壁は床版下側の締め切った空間内に割繰石が詰め込まれているため、海水の循環流が発生しにくく、水生生息物の生息環境を改善することが困難であった。
【０００５】
本発明は上記のような問題に鑑みてなされたものであり、その目的は、水生生息物の生息環境の改善を図ることができる水生生息物用構造物を提供することである。
【０００６】
【課題を解決するための手段】
以上の課題を解決するための水生生息物用構造物は、海中に立設された杭柱の潮間帯から漸深帯にかけた箇所に水生生息物用棚を設け、該水生生息物用棚の下側に障害物のない空隙部を形成したことである。また水生生息物用構造物は、海中に立設された杭柱の潮間帯から漸深帯にかけた箇所に水生生息物用棚を設け、該水生生息物用棚の下側に障害物のない空隙部を形成し、この空隙部へ通じる複数の連通孔が水生生息物用棚に設けられたことである。また水生生息物用棚には捨て石および多孔質ブロックが設置され、干潮時に水面上に位置する箇所にはタイドプールが形成されたことを含む。また杭柱は岸壁の先端側に立設されたことを含む。また杭柱の頂部には桟橋用床板が設置されたことを含むものである。
【０００７】
桟橋などの杭柱を利用して水生生息物用棚を設置することができるので、杭柱の有効利用を図ることができ、桟橋が形成された海域の環境保全を図ることができる。潮間帯の海水が連通孔を通って水生生息物用棚の下側の空隙部に流れるとともに、この空隙部における海水が海面付近に上昇することによって、循環流が発生して貧酸素水の発生を防ぐことができる。また捨て石には水生生息物が付着して水質浄化機能を発揮し、水生生物などの棲み場や隠れ場ともなる。また多孔質ブロックは波浪によって曝気機能を発揮するため、周辺海域に酸素を供給することができる。また水生生息物用棚の前方部で貧酸素水が発生した場合に、タイドプールに水生生物が退避する。
【０００８】
【発明の実施の形態】
以下、本発明の水生生息物用構造物の実施の形態を図面に基づいて説明する。この水生生息物用構造物（以下、生息物用構造物という）は第１〜８の実施の形態があり、各実施の形態において同じ構成は同じ符号を付して説明し、異なった構成にのみ異なった符号を付して説明する。なお、ここに水生生息物とは上記のように水生生物および水生植物を含んだものをいう。
【０００９】
図１〜３は第１の実施の形態の生息物用構造物１を示したものである。この生息物用構造物１は、既存の岸壁２に沿った海中３に杭柱４が立設され、該杭柱４の潮間帯から漸深帯における箇所に水生生息物用棚（以下、生息物用棚という）５が設けられ、該生息物用棚５の下側は何の障害物もない空隙部６が形成されている。ここで漸深帯とは潮間帯から漸次深くなった部分をいい、アラメやホンダワラ類が生息する帯域をいう。
【００１０】
この生息物用棚５は前側の杭柱４ａと後側の杭柱４ｂとにわたって形成された階段状の梁４ｃ間にポーラスコンクリートで形成された棚が設置され、１段目および２段目の棚７、８には捨て石９が設置され、３段目および４段目の棚１０、１１にはタイドプール１２が形成されている。この３段目および４段目の棚１０、１１は干潮時において水面上に位置する箇所に形成されているため、タイドプール１２が貧酸素水の発生時における水生生物の退避場所になる。
【００１１】
一方、捨て石９は水生生息物を付着させる機能を発揮するとともに、水生生物の棲み場や隠れ場の機能を発揮するものである。このように捨て石９に水生生息物が付着すると、周辺海域の水質が浄化されるとともに、周辺海域へのプランクトンの供給が盛んになる。
【００１２】
また、これらの捨て石９およびタイドプール１２を囲むようにして、ポーラスブロック（商品名）などの多孔質ブロック１３が設置されている。この多孔質ブロック１３は波浪によって曝気機能を発揮するため、周辺海域に酸素を供給することができ、これによって多くのプランクトンと水生生息物が発生する。
【００１３】
また図２の（２）に示すように、多孔質ブロックは連通孔に嵌め込まれて設置されているため、生息物用棚５やタイドプール１２に波浪が当たると、そのエネルギーによって海水が多孔質ブロック１３と連通孔１４とを通じて下側の空隙部６に流れ込込むとともに、この空隙部６における海水が海面付近に上昇することによって、循環流が発生するので、貧酸素水の発生を防ぐことができるようになる。
【００１４】
図４および５は第２の実施の形態の生息物用構造物１５を示したものである。この生息物用構造物１５は生息物用棚５が階段状ではなく傾斜状に形成されたものである。これは傾斜状の梁４ｃ間に生息物用棚５が設置されて形成され、この傾斜部における下部、中部、上部、最上部の生息物用棚５の全てに捨て石９が設置され、各部の捨て石９を囲むように多孔質ブロック１３が設置されたものであり、これ以外は第１の実施の形態の生息物用構造物１と同じ構成である。
【００１５】
したがって、捨て石９に付着した水生生息物によって周辺海域の水質が浄化されるとともに、周辺海域へのプランクトンの供給が盛んになる。また多孔質ブロック１３による曝気機能により、周辺海域に酸素を供給することができ、これにより多くのプランクトンなどの水生生息物の発生による水質浄化ができるようになる。また下側の空隙部６に通じる複数の連通孔１４によって循環流を発生させることもできる。
【００１６】
また図６および７は第３の実施の形態の生息物用構造物１６を示したものである。この生息物用構造物１６は階段状に設置された全ての生息物用棚５に多孔質ブロック１３を設置したものであり、これ以外は第１の実施の形態の生息物用構造物１と同じ構成である。したがって、この多孔質ブロック１３による効果を奏することができるとともに、生息物用棚５に設けた複数の連通孔１４によって循環流を発生させることもできる。
【００１７】
また図８および９は第４の実施の形態の生息物用構造物１７を示したものである。この生息物用構造物１７は、第１の実施の形態の生息物用構造物１の杭柱４の頭部に桟橋用の床板１８を設置したものであり、これ以外は第１の実施の形態の生息物用構造物１と同じ構成であり、同じ効果を奏するものである。この生息物用構造物１は、既存の岸壁２に設けた新たな桟橋１９の杭柱４を利用して生息物用棚５を設けたものであり、この生息物用棚５によって環境に配慮した桟橋１９を構築することができる。
【００１８】
また図１０は第５の実施の形態の生息物用構造物２０を示したものである。この生息物用構造物２０は、第２の実施の形態の生息物用構造物１５の杭柱４の頭部に桟橋用の床板１８を設置したものであり、これ以外は第２の実施の形態の生息物用構造物１５と同じ構成であり、同じ効果を奏するものである。この生息物用構造物２０も上記と同様、環境に配慮した桟橋１９の構築につながるものである。
【００１９】
また図１１は第６の実施の形態の生息物用構造物２１を示したものである。この生息物用構造物２１は、第３の実施の形態の生息物用構造物１６の杭柱４の頭部に桟橋用の床板１８を設置したものであり、これ以外は第３の実施の形態の生息物用構造物１６と同じ構成であり、同じ効果を奏するものである。この生息物用構造物２１も上記と同様、環境に配慮した桟橋の構築につながるものである。
【００２０】
また図１２および１３は第７の実施の形態の生息物用構造物２２を示したものである。この生息物用構造物２２は、第１の実施の形態の生息物用構造物１を既存の岸壁２ではなく、沿岸部の近傍に設置して、上記の機能を発揮させることにより、その周辺海域の環境の改善および環境の保全を図ろうとするものである。なお、この生息物用構造物２２に代わって、沿岸部の近傍に第２および第３の実施の形態の生息物用構造物１５、１６を設置することもできる。
【００２１】
また図１４は第８の実施の形態の生息物用構造物２３を示したものである。この生息物用構造物１は、多孔質ブロック１３が連通孔１４に嵌め込まれたものではなく、生息物用棚５の上に設置されものであり、これ以外は第１の実施の形態の生息物用構造物１と同じ構成である。したがって、生息物用棚５には連通孔１４が形成されていない。このように桟橋１９などの杭柱に生息物用棚５を設置すると、杭柱４の有効利用を図ることができ、桟橋１９が形成された海域の環境保全を図ることができる。
【００２２】
【発明の効果】
杭柱の有効利用を図ることができ、桟橋が形成された海域の環境保全を図ることができる。水生生息物の生息環境の改善を図ることができる生息物用構造物を構築することができる。
【００２３】
潮間帯から漸深帯における海水が連通孔を通って生息物用棚の下側の空隙部に流れ込むとともに、この空隙部における海水が海面付近に上昇することによって、循環流が発生するので、貧酸素水の発生を防ぐことができる。
【００２４】
捨て石は水生生息物が付着して水質浄化機能を発揮させ、かつ水生生物の棲み場や隠れ場とすることができる。
【００２５】
多孔質ブロックは波浪によって曝気機能を発揮するため、周辺海域に酸素を供給することができる。
【００２６】
生息物用棚の前方部で貧酸素水が発生した場合に、タイドプールに水生生物を退避させることができる。
【図面の簡単な説明】
【図１】第１の実施の形態の生息物用構造物の断面図である。
【図２】（１）は第１の実施の形態の生息物用構造物の平面図、（２）は要部の断面図である。
【図３】第１の実施の形態の生息物用構造物の斜視図である。
【図４】第２の実施の形態の生息物用構造物を示し、（１）は断面図、（２）は平面図である。
【図５】第２の実施の形態の生息物用構造物の斜視図である。
【図６】第３の実施の形態の生息物用構造物を示し、（１）は断面図、（２）は平面図である。
【図７】第３の実施の形態の生息物用構造物の斜視図である。
【図８】第４の実施の形態の生息物用構造物の断面図である。
【図９】第４の実施の形態の生息物用構造物の斜視図である。
【図１０】第５の実施の形態の生息物用構造物の断面図である。
【図１１】第６の実施の形態の生息物用構造物の断面図である。
【図１２】第７の実施の形態の生息物用構造物の断面図である。
【図１３】第７の実施の形態の生息物用構造物の平面図である。
【図１４】（１）は第８の実施の形態の生息物用構造物の断面図、（２）は要部の拡大断面図である。
【符号の説明】
１、１５、１６、１７、２０、２１、２２、２３  生息物用構造物
２  岸壁
３  海中
４  杭柱
５  生息物用棚
６  空隙部
７、８、１０、１１  棚
９  捨て石
１２  タイドプール
１３  多孔質ブロック
１４  連通孔
１８  床板
１９  桟橋
【図１】
2004308157.tif 000003
【図２】
2004308157.tif 000004
【図３】
2004308157.tif 000005
【図４】
2004308157.tif 000006
【図５】
2004308157.tif 000007
【図６】
2004308157.tif 000008
【図７】
2004308157.tif 000009
【図８】
2004308157.tif 000010
【図９】
2004308157.tif 000011
【図１０】
2004308157.tif 000012
【図１１】
2004308157.tif 000013
【図１２】
2004308157.tif 000014
【図１３】
2004308157.tif 000015
【図１４】
2004308157.tif 000016